(57)【要約】【課題】コンパクトな形に包装可能なほうき付きちり取りに関するものである。【解決手段】ほうき５の柄棒とちり取りの柄棒１６を、長さが短くなるように分解自在とし、それぞれ分解された単位ほうき柄５ａ，５ｂと単位ちり取り柄１６ａ，１６ｂが、ちり取り２の集塵部１５内に収納可能な長さに設定されており、また、ほうきのブラシ部４の上端には、単位ほうき柄５ｂを連結させる連結筒部１４を有し、集塵部１５の開口面１７をほうき１のブラシ部４で覆った状態で、この連結筒部１４が突出して保持される切欠部１８が集塵部１５の上部に設けられており、包装時には、ちり取り２の集塵部１５内に、分解された単位ほうき柄５ａ，５ｂと単位ちり取り柄１６ａ，１６ｂをちり取り２の集塵部１５内に収納した後、集塵部１５の開口面１７をほうきのブラシ部４で覆って閉じた状態とし、この閉じた状態を止め手段３にて固定したことを特徴とするものである。【選択図】図１
0003128675.tif 000002
【実用新案登録請求の範囲】
【請求項１】
略板状のブラシ部と柄棒を有するほうきと、前面を開放した略箱状の集塵部の上面に柄棒を有するちり取りとよりなり、前記ほうきのブラシ部が、前記ちり取りの集塵部の開口面を外被する大きさに設定されており、組立使用時には、集塵部の開口面をブラシ部で覆った状態で、ほうきの柄棒をちり取りの柄棒に保持できる保持部を設けたほうき付きちり取りであって、
ほうきの柄棒とちり取りの柄棒を、長さが短くなるように分解自在とし、それぞれ分解された単位ほうき柄と単位ちり取り柄が、ちり取りの集塵部内に収納可能な長さに設定されており、また、ほうきのブラシ部の上端には、単位ほうき柄を連結させる連結筒部を有し、集塵部の開口面をほうきのブラシ部で覆った状態で、この連結筒部が突出して保持される切欠部が集塵部の上部に設けられており、包装時には、ちり取りの集塵部内に、分解された単位ほうき柄と単位ちり取り柄をちり取りの集塵部内に収納した後、集塵部の開口面をほうきのブラシ部で覆って閉じた状態とし、この閉じた状態を止め手段にて固定したことを特徴とするほうき付きちり取り。
【請求項２】
止め手段として、集塵部にブラシ部を保持させた状態で、ちり取りの開口面をシート状の包装カバーで覆い、止着テープで固定してなる請求項１記載のほうき付きちり取り。
【請求項３】
包装カバーとして、ちり取りの開口面を外被するカバー本体の両側から側片を延設するとともに、カバー本体の上部に、ほうきの連結筒部を挿通する孔を有する上片を延設したものを用いた請求項２記載のほうき付きちり取り。
【考案の詳細な説明】
【技術分野】
【０００１】
本考案は、コンパクトな形に包装可能なほうき付きちり取りに関するものである。
【背景技術】
【０００２】
従来のほうき付きちり取りとしては、板状のブラシ部と柄棒を有するほうきと、前面を開放した略箱状の集塵部の上面に柄棒を有するちり取りとよりなり、前記ほうきのブラシ部が前記ちり取りの集塵部の開口面を覆った状態で、ちり取りの柄棒に、ほうきの柄棒を着脱自在に取り付けたものがある（例えば、特許文献１参照。）。
【０００３】
【特許文献１】実開平２−７８１６６号公報（第１図及び図２）
【考案の開示】
【考案が解決しようとする課題】
【０００４】
しかし、特許文献１の構成では、ちり取りからほうきを取り外し、それぞれちり取りとほうきを掃除に使用することができ、掃除が終了した後は、ちり取りの柄棒にほうきの柄棒が保持された状態で、庭の隅に設置される。かかるほうき付きちり取りでは、輸送や販売を行う際にも、ちり取りの柄棒にほうきの柄棒が保持された状態であるので、非常に嵩高いものとなってしまい、輸送時などの費用も高くなってしまうといった問題点があり、また、かかる商品を取り扱う売り場によっては、商品の大きさの制限があり、商品を売り場に置いてもらうことすらできないといった問題点もあった。
【０００５】
そこで、本考案は、このような課題を解決するためになされたものであり、販売、輸送時には、コンパクトな形に包装することができるので、大幅なコストダウンを図ることができ、また、売り場の大きさ制限を受けることがないほうき付きちり取りを提供することを目的とする。
【課題を解決するための手段】
【０００６】
本考案に係るほうき付きちり取りは、略板状のブラシ部と柄棒を有するほうきと、前面を開放した略箱状の集塵部の上面に柄棒を有するちり取りとよりなり、前記ほうきのブラシ部が、前記ちり取りの集塵部の開口面を外被する大きさに設定されており、組立使用時には、集塵部の開口面をブラシ部で覆った状態で、ほうきの柄棒をちり取りの柄棒に保持できる保持部を設けたほうき付きちり取りであって、
ほうきの柄棒とちり取りの柄棒を、長さが短くなるように分解自在とし、それぞれ分解された単位ほうき柄と単位ちり取り柄が、ちり取りの集塵部内に収納可能な長さに設定されており、また、ほうきのブラシ部の上端には、単位ほうき柄を連結させる連結筒部を有し、集塵部の開口面をほうきのブラシ部で覆った状態で、この連結筒部が突出して保持される切欠部が集塵部の上部に設けられており、包装時には、ちり取りの集塵部内に、分解された単位ほうき柄と単位ちり取り柄をちり取りの集塵部内に収納した後、ちり取りの開口面をほうきのブラシ部で覆って閉じた状態とし、この閉じた状態を止め手段にて固定したことを特徴とするものである。
【０００７】
更に、止め手段は、集塵部にブラシ部を保持させた状態で、ちり取りの開口面をシート状の包装カバーで覆い、止着テープで固定する方が好ましい。
【０００８】
また、止め手段の包装カバーとして、ちり取りの開口面を外被するカバー本体の両側から側片を延設するとともに、カバー本体の上部に、ほうきの連結筒部を挿通する孔を有する上片を延設したものを用いたものの方がより好ましい。
【考案の効果】
【０００９】
請求項１に係るほうき付きちり取りによれば、ほうき柄棒を取り付けたほうきと、ちり取り柄棒を取り付けたちり取りを用い、ブラシ部の連結筒部を集塵部の切欠部内に位置させとともに、ブラシ部を集塵部の開口面内に位置させ、ほうき柄棒とちり取り柄棒を保持部に保持させて組み立てることができ、この状態で、庭の隅に設置することができる。そして、ちり取りからほうきを取り外し、この取り外したちり取りとほうきを用いて掃除を行うことができる。
そして、包装する場合には、ちり取りからちり取り柄棒を取り外してこのちり取り柄棒を分解し、ほうきからほうき柄棒を取り外してこのほうき柄棒を分解した状態とし、この分解したちり取りの単位ちり取り柄とほうきの単位ほうき柄を、集塵部内に収納した状態で、ブラシ部の連結筒部を集塵部の切欠部内に位置させて、ブラシ部を集塵部の開口面内に位置させて閉じた状態とする。その後、この状態で、止め手段にて、固定して包装することができ、販売や輸送を行うことができる。
このように、ほうき柄棒とちり取り柄棒を分解して短くし、このように分解した単位ほうき柄と単位ちり取り柄を、ちり取りの集塵部内に収納してコンパクトな形に包装することができる。このように、販売、輸送時には、コンパクトな形に包装することができるので、大幅なコストダウンを図ることができ、また、売り場の大きさ制限を受けることがなく、さまざまな場所で販売することが可能となる。
【００１０】
請求項２に係るほうき付きちり取りによれば、ちり取りの開口面をほうきのブラシ部で覆って閉じた状態の上から、止め手段であるシート状の包装カバーを被せ、止着テープで固定しているので、集塵部内に収納した単位ちり取り柄や単位ほうき柄が外部にこぼれ落ちることなく、強固に包装することができる。
【００１１】
請求項３に係るほうき付きちり取りによれば、包装カバーの上片の孔を、ブラシ部の連結筒部に挿通し、集塵部の開口面を外覆した状態で、側片を集塵部の側面に止着テープで止めることにより、強固に包装することができる。
【考案を実施するための最良の形態】
【００１２】
次に、本考案の実施の形態を添付図面に基づいて説明する。
図１〜図６は、本考案の実施の形態に係るほうき付きちり取りに関するものであり、図１と図２は、包装時に関する図であり、図３と図４は、組立使用時に関する図であり、図５は、ほうきの柄棒の分解断面図であり、図６は、ちり取りの柄棒の分解断面図である。
【００１３】
ほうき付きちり取りＴは、図１及び図２に示すように、包装時には、ほうき１と、ちり取り２と、止め手段３とで構成されている。
【００１４】
ほうき１は、図３に示すように、全体が略二等三角形の板状のブラシ部４と、ほうき柄棒５とで構成されており、更に、ほうき柄棒５は、長さが短くなるように分解自在とされており、それぞれ分解された単位ほうき柄５ａ，５ｂが、ちり取りの集塵部内に収納可能な長さに設定されている。ブラシ部４は、透明なシュリンクフィルム４ａで包装されている。
【００１５】
ほうき柄棒５は、図３に示すように、２本の単位ほうき柄５ａ，５ｂでできており、まず、上方の単位ほうき柄５ａは、棒本体６の上部にハンドル部７を有し、棒本体７の下端に螺軸８が設けられ、次に、下方の単位ほうき柄５ｂは、図５に示すように、棒本体９の上端には前記上方の単位ほうき柄５ａの螺軸８が螺合しうる螺子孔１０が設けられ、棒本体９の下端には螺軸１１が設けられている。
そして、ブラシ部４の上部には、前記下方の単位ほうき柄５ｂの螺軸１１が螺合しうる螺子孔１３を有する連結筒部１４が設けられており、これらを連結することにより、ほうき１を組み立てることができる。
なお、図例のほうき柄棒５では、単位ほうき柄が２本であるが、３本以上であってもよく、また、凹凸の嵌合により連結させる構造であってもよい。
【００１６】
ちり取り２は、図３に示すように、前面を開放した略箱状の集塵部１５の上面にちり取り柄棒１６が垂直に設けられており、このちり取り柄棒１６は、長さが短くなるように分解自在とし、それぞれ分解された単位ちり取り柄１６ａ，１６ｂが、ちり取りの集塵部１５内に収納可能な長さに設定されている。
集塵部１５は、平面視三角形であり、上方に向かうにつれて、奥行きが狭くなるように、斜め方向に傾斜して開口面１７が設けられており、そして、集塵部１５の上面には、前記ちり取り２の連結筒部１４が突出して保持される切欠部１８が設けられるとともに、ちり取り柄棒１６を差し込むための差込凹部１９が設けられている。
【００１７】
ちり取り柄棒１６は、図３に示すように、２本の単位ちり取り柄１６ａ，１６ｂでできており、まず、上方の単位ちり取り柄１６ａは、棒本体２０の上部に倒Ｕ字状のハンドル部２１が設けられており、棒本体２０の下端には、径をやや縮径させた嵌合用の凸部２２が設けられ、次に、下方の単位ちり取り柄１６ｂは、棒本体２３の上端には、前記上方の単位ちり取り柄１６ａの凸部２２が嵌合しうる凹部２４が設けられており、更に、図６に示すように、突片２５と係合孔２６が、上方の単位ちり取り柄１６ａと下方の単位ちり取り柄１６ｂに設けられており、係合する構造となっている。
また、ちり取り２のハンドル部には、ほうき１のハンドル部７を立起状態に固定保持できる保持部２７として保持凹部が設けられている。なお、保持部２７は、ほうき１側に保持部を設けてもよく、また、別部材の金具を利用することも可能である。
なお、図例のちり取り柄棒１６では、単位ちり取り柄棒が２本であるが、３本以上であってもよく、また、螺子で連結させる構造であってもよい。
また、図例のほうき１のブラシ部４では、全体が略二等三角形の板状のものが用いられているが、厚みの薄い略板状のものであれば、さまざまな形状のものを採用することができ、それに合わせて、集塵部１５の形状を変えることもできる。
【００１８】
そして、ブラシ部４の連結筒部１４を、集塵部１５の切欠部１８内で保持させると、図４に示すように、ブラシ部４は集塵部１５の開口面１７内に位置し、集塵部１５の開口面１７のほぼ全体が覆われる大きさに設定されているため、集塵部１５内に収納した単位ほうき柄５ａ，５ｂと、単位ちり取り柄１６ａ，１６ｂが外にこぼれ落ちることがない。
【００１９】
止め手段３とは、包装時には、ちり取りの集塵部１５内に、分解されたほうきの単位ほうき柄５ａ，５ｂと、ちり取りの単位ちり取り柄１６ａ，１６ｂを、ちり取りの集塵部１５内に収納した後、ちり取り２の開口面１７をほうき１のブラシ部４で覆って閉じた状態を固定するものである。
【００２０】
図例の止め手段３では、図１に示すように、シート状の包装カバー２８と、止着テープ２９が用いられている。
包装カバー２８には、図２に示すように、ちり取り２の開口面１７の上半分を外被する大きさのカバー本体２８ａの両側から側片２８ｂ，２８ｂを延設するとともに、カバー本体２８ａの上端から、ほうきの連結筒部１４を挿通する孔３０を有する上片２８ｃを延設したものが用いられ、カバー本体２８ａとの境目に折り目が設けられている。
そして、止め手段３における包装カバー２８の上片２８ｃの孔３０を、ブラシ部４の連結筒部１４に挿通し、集塵部１５の開口面を外覆した状態で、側片２８ｂ，２８ｂを集塵部１５の側面に、上片２８ｃを集塵部１５の上面又は側面に（特に図示せず）、止着テープ２９で止めることにより、強固に包装することができる。
この包装カバー２８表面に、商品の説明、宣伝用の記事を記載することができる。
なお、包装カバー２８は、集塵部１５の開口面１７全体を覆う大きさに設定したものであってもよく、また、特に、側片２８ｂ，２８ｂや上片２８ｃを有しないカバー本体２８ａだけのシンプルな形のものであってもよく、止着テープ２９の代わりに着脱自在な接着剤などを用いることも可能である。
【００２１】
よって、ほうき付きちり取りＴによれば、ほうき柄棒５を取り付けたほうき１と、ちり取り柄棒１６を取り付けたちり取り２を用い、ブラシ部４の連結筒部１４を集塵部１５の切欠部１８内に位置させるとともに、ブラシ部４を集塵部１５の開口面１７内に位置させ、ほうき柄棒５のハンドル部７をちり取り２の保持部２７内に嵌合して、ハンドル部７を立起状態に保持することにより組み立てることができ、この状態で、庭の隅に設置することができる。そして、ちり取り２からほうき１を取り外し、この取り外したちり取り２とほうき１を用いて掃除を行うことができる。
そして、包装する場合には、ちり取り２からちり取り柄棒１６を取り外してこのちり取り柄棒１６を分解し、ほうき１からほうき柄棒５を取り外してこのほうき柄棒５を分解した後、この分解したちり取りの単位ちり取り柄５ａ，５ｂとほうきの単位ほうき柄１６ａ，１６ｂを、集塵部１５内に収納した状態で、ブラシ部４の連結筒部１４を集塵部１５の切欠部１８内に位置させて、ブラシ部４を集塵部１５の開口面１７内に位置させて外覆した状態とする。その後、包装カバー２８の上片２８ｃの孔３０を、ブラシ部４の連結筒部１４に挿通し、集塵部１５の開口面を外覆した状態で、側片２８ｂ，２８ｂを集塵部１５の側面に、止着テープ２９で止めることにより、強固に包装することができる。この状態で、販売や輸送を行うことができる。
なお、ちり取り２の集塵部１５の中には、他の商品である、たわしやブラシなどを収納することも可能である。
【００２２】
このように上記構造のほうき付きちり取りＴによれば、ほうき柄棒５とちり取り柄棒１６を分解して短くし、このように分解した単位ほうき柄５ａ，５ｂと単位ちり取り柄１６ａ，１６ｂを、ちり取りの集塵部１５内に収納してコンパクトな形に包装することができる。このように、販売、輸送時には、ほうき付きちり取りＴをコンパクトな形に包装することができるので、大幅なコストダウンを図ることができ、また、売り場の大きさ制限を受けることがなく、さまざまな場所で販売することが可能となる。
【００２３】
図７は、他の実施の形態に係るほうき付きちり取りの斜視図である。
止め手段３は、特に、包装カバー２８は使用しないで、止着テープ２９のみを用いて、ブラシ部４を集塵部１５に貼り付けることも可能である。
この止め手段３を用いれば、シンプルな構造とすることができ、よりコストダウンを図ることができる。
また、止め手段３としては、ちり取り２の集塵部１５と、ほうき１のブラシ部４に、嵌合用の凹凸部をそれぞれ設けることにより、固定することも可能である。
【図面の簡単な説明】
【００２４】
【図１】本考案の実施の形態に係るほうき付きちり取りの包装時の斜視図である。
【図２】同じく、ほうき付きちり取りの分解斜視図である。
【図３】同じく、ほうき付きちり取りの組立手順を示す分解斜視図である。
【図４】同じく、ほうき付きちり取りを組立使用時の斜視図である。
【図５】同じく、ほうきの柄棒の分解断面図である。
【図６】同じく、ちり取りの柄棒の分解断面図である。
【図７】他の実施の形態に係るほうき付きちり取りの包装時の斜視図である。
【符号の説明】
【００２５】
１  ほうき
２  ちり取り
３  止め手段
４  ブラシ部
５  ほうき柄棒
５ａ,５ｂ  単位ほうき柄
６  棒本体
７  ハンドル部
８  螺軸
９  棒本体
１０  螺子孔
１１  螺合
１２  ブラシ部
１３  螺子孔
１４  連結筒部
１５  集塵部
１６  ちり取り柄棒
１６ａ，１６ｂ  単位ちり取り柄
１７  開口面
１８  切欠部
１９  差込凹部
２０  棒本体
２１  ハンドル部
２２  凸部
２３  棒本体
２４  凹部
２５  突片
２６  係合孔
２７  保持部
２８  包装カバー
２９  止着テープ
３０  孔
Ｔ  ほうき付きちり取り
【図１】
0003128675.tif 000003
【図２】
0003128675.tif 000004
【図３】
0003128675.tif 000005
【図４】
0003128675.tif 000006
【図５】
0003128675.tif 000007
【図６】
0003128675.tif 000008
【図７】
0003128675.tif 000009